(57)【特許請求の範囲】
【請求項１】
予め設定された録画予約に基づいて、複数のチャンネルで配信される番組を受信して同時に録画する録画手段と、
各曜日のセルを配列した軸と所定の時間帯毎に各時間帯のセルを配列した軸とをマトリクス形式で表示した録画予約画面を作成する作成手段と、
前記作成手段で作成された録画予約画面上で、曜日のセルと時間帯のセルとで示される単位領域がカーソルにより選択され、その選択された単位領域に対して決定する旨の操作が行なわれることにより、当該決定された前記単位領域に対応する曜日と時間帯とについて録画予約を設定し、前記録画予約画面上でカーソルにより曜日のセルが選択され、その選択された曜日のセルに対して決定する旨の操作が行なわれることにより、当該決定された前記曜日のセルに対応する各時間帯について録画予約を設定または解除する設定手段とを具備する録画予約設定装置。
【請求項２】
前記設定手段は、前記録画予約画面上で曜日のセルと時間帯のセルとで示される単位領域がカーソルにより選択され、その選択された単位領域に対して決定する旨の操作が行なわれることにより、当該決定された前記単位領域に対応する曜日と時間帯とによる録画予約を解除する請求項１記載の録画予約設定装置。
【請求項３】
前記作成手段は、録画予約画面上に、全ての曜日と全ての時間帯とについて録画予約を設定するための操作領域を表示し、
前記設定手段は、前記録画予約画面上でカーソルにより前記操作領域が選択され、その選択された操作領域に対して決定する旨の操作が行なわれることにより、全ての曜日と全ての時間帯とについて録画予約を設定する請求項１記載の録画予約設定装置。
【請求項４】
前記設定手段は、カーソルにより前記操作領域が選択され、その選択された操作領域に対して決定する旨の操作が行なわれることにより、全ての曜日と全ての時間帯とについての録画予約を解除する請求項３記載の録画予約設定装置。
【請求項５】
前記設定手段は、全ての曜日と全ての時間帯とについて録画予約が設定されている状態で、時間帯のセルまたは曜日のセルがカーソルにより選択され、その選択された時間帯のセルまたは曜日のセルに対して決定する旨の操作が行なわれることにより、当該決定された前記時間帯のセルまたは曜日のセルに対応する各曜日または各時間帯についての録画予約を解除する請求項１記載の録画予約設定装置。
【請求項６】
予め設定された録画予約に基づいて、複数のチャンネルで配信される番組を受信して同時に録画し、
各曜日のセルを配列した軸と所定の時間帯毎に各時間帯のセルを配列した軸とをマトリクス形式で表示した録画予約画面を作成し、
作成された録画予約画面上で、曜日のセルと時間帯のセルとで示される単位領域がカーソルにより選択され、その選択された単位領域に対して決定する旨の操作が行なわれることにより、当該決定された前記単位領域に対応する曜日と時間帯とについて録画予約を設定し、
前記録画予約画面上でカーソルにより曜日のセルが選択され、その選択された曜日のセルに対して決定する旨の操作が行なわれることにより、当該決定された前記曜日のセルに対応する各時間帯について録画予約を設定または解除する録画予約設定方法。
【発明の詳細な説明】
【技術分野】
【０００１】
この発明の実施の形態は、マルチチャンネル同時録画に好適する録画予約設定装置及び録画予約設定方法に関する。
【背景技術】
【０００２】
周知のように、近年では、例えばＨＤＤ（hard disk drive）等のデジタル録画機器を内蔵し、デジタルテレビジョン放送を受信してその放送番組を録画可能としたデジタルテレビジョン放送受信装置が普及している。この種の放送受信装置は、年々、内蔵されるデジタル録画機器の記録容量が飛躍的に大きくなってきている。
【０００３】
そして、このような大容量のデジタル録画機器が内蔵される放送受信装置にあっては、現在、ユーザが複数のチャンネルを指定することにより、その指定された複数のチャンネルでそれぞれ放送される番組を同時に受信して録画する、いわゆる、マルチチャンネル同時録画機能を備えたものが出現している。
【０００４】
ところで、上記したマルチチャンネル同時録画を実現するための技術は、まだまだ開発途上にある段階であり、細部に亘って開発の余地が多々残されているのが現状である。特に、マルチチャンネル同時録画を録画予約で行なう場合に、その録画予約の設定操作を容易化して、ユーザにとっての取り扱いを便利なものとする必要がある。
【先行技術文献】
【特許文献】
【０００５】
【特許文献１】特開２００７−０８８８９３号公報
【発明の概要】
【発明が解決しようとする課題】
【０００６】
マルチチャンネル同時録画に対する録画予約の設定を、高い自由度をもって容易な操作で実現することができ、ユーザにとっての取り扱いを便利にして実用化に適するようにした録画予約設定装置及び録画予約設定方法を提供することを目的とする。
【課題を解決するための手段】
【０００７】
実施の形態によれば、録画予約設定装置は、録画手段と作成手段と設定手段とを備えている。録画手段は、予め設定された録画予約に基づいて、複数のチャンネルで配信される番組を受信して同時に録画する。作成手段は、各曜日のセルを配列した軸と所定の時間帯毎に各時間帯のセルを配列した軸とをマトリクス形式で表示した録画予約画面を作成する。設定手段は、作成手段で作成された録画予約画面上で、曜日のセルと時間帯のセルとで示される単位領域がカーソルにより選択され、その選択された単位領域に対して決定する旨の操作が行なわれることにより、当該決定された単位領域に対応する曜日と時間帯とについて録画予約を設定し、録画予約画面上でカーソルにより曜日のセルが選択され、その選択された曜日のセルに対して決定する旨の操作が行なわれることにより、当該決定された曜日のセルに対応する各時間帯について録画予約を設定または解除する。
【図面の簡単な説明】
【０００８】
【図１】実施の形態におけるデジタルテレビジョン放送受信装置の信号処理系の一例を概略的に説明するために示すブロック構成図。
【図２】同実施の形態におけるデジタルテレビジョン放送受信装置に用いるリモートコントローラの一例を説明するために示す外観図。
【図３】同実施の形態におけるデジタルテレビジョン放送受信装置が表示するチャンネル選択画面の一例を説明するために示す図。
【図４】同実施の形態におけるデジタルテレビジョン放送受信装置が表示するマルチチャンネル同時録画予約画面の一例を説明するために示す図。
【図５】同実施の形態におけるマルチチャンネル同時録画予約画面を用いたセル単位での録画予約の一例を説明するために示す図。
【図６】同実施の形態におけるマルチチャンネル同時録画予約画面を用いたセル単位での録画予約動作の一例を説明するために示すフローチャート。
【図７】同実施の形態におけるマルチチャンネル同時録画予約画面を用いた曜日単位での録画予約の一例を説明するために示す図。
【図８】同実施の形態におけるマルチチャンネル同時録画予約画面を用いた曜日単位での録画予約の一例を説明するために示す図。
【図９】同実施の形態におけるマルチチャンネル同時録画予約画面を用いた曜日単位での録画予約動作の一例を説明するために示すフローチャート。
【図１０】同実施の形態におけるマルチチャンネル同時録画予約画面を用いた単位時間帯単位での録画予約の一例を説明するために示す図。
【図１１】同実施の形態におけるマルチチャンネル同時録画予約画面を用いた単位時間帯単位での録画予約の一例を説明するために示す図。
【図１２】同実施の形態におけるマルチチャンネル同時録画予約画面を用いた単位時間帯単位での録画予約動作の一例を説明するために示すフローチャート。
【図１３】同実施の形態におけるマルチチャンネル同時録画予約画面を用いた全選択による録画予約の一例を説明するために示す図。
【図１４】同実施の形態におけるマルチチャンネル同時録画予約画面を用いた全選択による録画予約の一例を説明するために示す図。
【図１５】同実施の形態におけるマルチチャンネル同時録画予約画面を用いた全選択による録画予約動作の一例を説明するために示すフローチャート。
【図１６】同実施の形態におけるマルチチャンネル同時録画予約画面を用いた曜日単位でのコピー処理の一例を説明するために示す図。
【図１７】同実施の形態におけるマルチチャンネル同時録画予約画面を用いた曜日単位でのコピー処理の一例を説明するために示す図。
【図１８】同実施の形態におけるマルチチャンネル同時録画予約画面を用いた単位時間帯単位でのコピー処理の一例を説明するために示す図。
【図１９】同実施の形態におけるマルチチャンネル同時録画予約画面を用いた単位時間帯単位でのコピー処理の一例を説明するために示す図。
【発明を実施するための最良の形態】
【０００９】
以下、実施の形態について図面を参照して詳細に説明する。図１は、この実施の形態で説明するデジタルテレビジョン放送受信装置１１の信号処理系を概略的に示している。このデジタルテレビジョン放送受信装置１１は、複数のチャンネルで放送される各番組を同時に受信して録画する、マルチチャンネル同時録画機能を有している。
【００１０】
すなわち、アンテナ１２で受信したデジタルテレビジョン放送信号は、入力端子１３を介して、チューナ処理部１４を構成するｎ（整数）個のチューナ部１４１，１４２，……，１４ｎに供給される。これらのチューナ部１４１〜１４ｎは、それぞれが、入力されたデジタルテレビジョン放送信号から所望のチャンネルの放送信号を選局している。
【００１１】
そして、各チューナ部１４１〜１４ｎで選局された放送信号は、復調復号処理部１５を構成するｎ個の復調復号部１５１，１５２，……，１５ｎに対応的に供給される。これらの復調復号部１５１〜１５ｎは、それぞれが、入力された放送信号から放送番組に係る映像や音声等のデータを復元したり、各番組に関する番組情報を取得したりしている。
【００１２】
その後、各復調復号部１５１〜１５ｎで復元された番組のデータや番組情報等は、デマルチプレクサ１６に供給される。このデマルチプレクサ１６は、入力された各番組のデータから１つの番組のデータを選択し、その選択した番組のデータを映像データと音声データとに分離している。
【００１３】
このうち、デマルチプレクサ１６から出力された映像データは、グラフィック処理部１７に供給される。このグラフィック処理部１７は、デマルチプレクサ１６から供給された映像データに、ＯＳＤ（on screen display）信号発生部１８から供給されるＯＳＤ信号を重畳し、映像処理部１９に出力している。
【００１４】
この映像処理部１９は、入力された映像データを、後段の、例えば液晶表示パネル等を有する平面型の映像表示部２０で表示可能なフォーマットに変換している。そして、この映像処理部１９から出力された映像信号が、映像表示部２０に供給されて映像表示に供される。
【００１５】
なお、上記デマルチプレクサ１６は、各復調復号部１５１〜１５ｎからそれぞれ供給された映像データを、映像表示部２０の画面を複数の領域に分割し、その分割した各領域に同時に表示させる、いわゆる、マルチ画面表示を行なわせるように組み合わせて出力することも可能である。
【００１６】
また、上記デマルチプレクサ１６から出力された音声データは、音声処理部２１に供給される。この音声処理部２１は、入力された音声データを、後段のスピーカ２２で音声再生可能なフォーマットに変換している。そして、この音声処理部２１から出力された音声信号がスピーカ２２に供給され音声再生に供される。
【００１７】
ここで、このデジタルテレビジョン放送受信装置１１は、上記した各種の受信動作を含むその全ての動作を制御部２３によって統括的に制御されている。この制御部２３は、ＣＰＵ（central processing unit）２３ａを内蔵しており、デジタルテレビジョン放送受信装置１１の本体に設置された操作部２４からの操作情報を受けて、または、リモートコントローラ２５から送出され受信部２６で受信した操作情報を受けて、その操作内容が反映されるように各部をそれぞれ制御している。
【００１８】
この場合、制御部２３は、メモリ部２３ｂを利用している。このメモリ部２５ｂは、主として、ＣＰＵ２３ａが実行する制御プログラムを格納したＲＯＭ（read only memory）と、該ＣＰＵ２３ａに作業エリアを提供するためのＲＡＭ（random access memory）と、各種の設定情報及び制御情報等が格納される不揮発性メモリとを有している。
【００１９】
また、この制御部２３には、ＨＤＤ（hard disk drive）２７が接続されている。この制御部２３は、ユーザによる操作部２４やリモートコントローラ２５の操作、または、予め設定された録画予約等に基づいて、ユーザの指定した１つのチャンネルの放送番組に係る映像や音声等のデータをデマルチプレクサ１６から取得し、ＨＤＤ２７に供給してハードディスク２７ａに録画させるように制御することができる。
【００２０】
さらに、上記制御部２３は、ユーザによる操作部２４やリモートコントローラ２５の操作、または、予め設定された録画予約等に基づいて、ユーザの指定した複数のチャンネルの放送番組に係る映像や音声等のデータをデマルチプレクサ１６から取得し、ＨＤＤ２７に供給してハードディスク２７ａに同時に録画させる、いわゆる、マルチチャンネル同時録画機能を実現させることができる。
【００２１】
また、この制御部２３は、ユーザによる操作部２４やリモートコントローラ２５の操作に基づいて、ＨＤＤ２７によりハードディスク２７ａから所望の番組に係る映像や音声等のデータを読み出させ、デマルチプレクサ１６に供給することにより、以後、上記した映像表示及び音声再生に供させるように制御することができる。
【００２２】
さらに、上記制御部２２は、ネットワークインターフェース２８を介して外部のネットワーク２９に接続されている。このため、制御部２２は、ユーザによる操作部２３やリモートコントローラ２４の操作に基づき、ネットワーク２９上のネットワークサーバ３０にアクセスすることにより、そこで提供している各種のサービスを利用することができるようになっている。
【００２３】
なお、上記制御部２３は、デジタルテレビジョン放送やネットワーク２９経由で得られるサービス等から、受信可能な全てのチャンネルで放送される番組に関する番組情報を取得し、ＨＤＤ２８によりハードディスク２７ａに記録するように制御している。この番組情報は、個々の番組に対する詳細情報をユーザに提供するために利用されたり、電子番組表の作成やマルチチャンネル同時録画を含む録画予約等に利用されたりしている。
【００２４】
また、上記制御部２３は、録画予約設定制御部２３ｃを備えている。この録画予約設定制御部２３ｃは、詳細は後述するが、マルチチャンネル同時録画を録画予約で行なう場合に、その録画予約を設定する操作をユーザが映像表示部２０の画面上で容易に行なえるように支援する機能を有している。
【００２５】
図２は、上記リモートコントローラ２５の外観を示している。このリモートコントローラ２５には、主として、電源キー２５ａ、数字キー２５ｂ、チャンネルアップダウンキー２５ｃ、音量調整キー２５ｄ、カーソル上キー２５ｅ、カーソル下キー２５ｆ、カーソル左キー２５ｇ、カーソル右キー２５ｈ、決定キー２５ｉ、メニューキー２５ｊ、戻るキー２５ｋ、終了キー２５ｌ、４色（青，赤，緑，黄）のカラーキー２５ｍ等が設けられている。
【００２６】
また、このリモートコントローラ２５には、再生停止キー２５ｎ、再生／一時停止キー２５ｏ、逆方向スキップキー２５ｐ、順方向スキップキー２５ｑ、早戻しキー２５ｒ、早送りキー２５ｓ等が設けられている。
【００２７】
すなわち、上記ＨＤＤ２７に対しては、リモートコントローラ２５の再生停止キー２５ｎや再生／一時停止キー２５ｏを操作することにより、再生、停止、一時停止を行なうことが可能となる。
【００２８】
また、リモートコントローラ２５の逆方向スキップキー２５ｐや順方向スキップキー２５ｑを操作することによって、ＨＤＤ２７でハードディスク２７ａから読み取っている映像や音声等のデータを、その再生方向に対して逆方向や順方向に一定量ずつスキップさせる、いわゆる、逆方向スキップや順方向スキップを行なうことができる。
【００２９】
さらに、リモートコントローラ２５の早戻しキー２５ｒや早送りキー２５ｓ等を操作することにより、ＨＤＤ２７でハードディスク２７ａから読み取っている映像や音声等のデータを、その再生方向に対して逆方向や順方向に連続的に高速で再生させる、いわゆる、早戻し再生や早送り再生を行なうことができる。
【００３０】
上記のような構成となされたデジタルテレビジョン放送受信装置１１において、以下、そのマルチチャンネル同時録画に対する録画予約の設定について説明する。まず、マルチチャンネル同時録画を行なう際に、選局すべき複数のチャンネルをユーザが登録するための処理について説明する。
【００３１】
この処理は、ユーザが、リモートコントローラ２５のメニューキー２５ｊを操作して、階層構造となされた複数種類のメニュー画面に分け入ることにより、図３に示すようなチャンネル選択画面３１を映像表示部２０に表示させることによって行なわれる。このチャンネル選択画面３１は、選択チャンネル表示領域３１ａと登録チャンネル表示領域３１ｂとを表示している。
【００３２】
このうち、選択チャンネル表示領域３１ａは、受信可能なチャンネルをその放送局名とチャンネル番号とで表示しており、同時に５つまでのチャンネルが表示されるようになっている。なお、選択チャンネル表示領域３１ａは、ユーザがリモートコントローラ２５のカーソル上または下キー２５ｅ，２５ｆを操作して、表示されているチャンネルを画面の下または上方向にスクロールさせることにより、全ての受信可能なチャンネルを表示させることができる。
【００３３】
ユーザは、リモートコントローラ２５のカーソル上または下キー２５ｅ，２５ｆを操作して選択チャンネル表示領域３１ａから所望のチャンネルを選択し、決定キー２５ｉを操作することにより、そのチャンネルがマルチチャンネル同時録画時に選局されるチャンネルの１つとして登録される。そして、登録されたチャンネルは、上記登録チャンネル表示領域３１ｂに、そのチャンネル番号が表示される。
【００３４】
この登録チャンネル表示領域３１ｂは、上記チューナ部１４１〜１４ｎの個数分のチャンネル番号を表示可能となっている。そして、この登録チャンネル表示領域３１ｂに表示されたチャンネル番号のチャンネルが、マルチチャンネル同時録画時に選局され、その放送番組が録画されることになる。
【００３５】
なお、リモートコントローラ２５のカーソル上、下、左、右キー２５ｅ〜２５ｈを選択的に操作して、登録チャンネル表示領域３１ｂに表示されているいずれかのチャンネル番号を選択し、決定キー２５ｉを操作すると、そのチャンネルが登録チャンネル表示領域３１ｂから削除され、マルチチャンネル同時録画時に選局されるチャンネルとしての登録が取り消される。
【００３６】
上記のようにして、マルチチャンネル同時録画時に選局される複数のチャンネルが設定された状態で、次に、マルチチャンネル同時録画に対する録画予約を設定するための処理について説明する。この処理は、上記した録画予約設定制御部２３ｃの制御に基づいて実行される。
【００３７】
すなわち、マルチチャンネル同時録画に対する録画予約を設定するための処理は、ユーザが、リモートコントローラ２５のメニューキー２５ｊを操作して、階層構造となされた複数種類のメニュー画面に分け入ることにより、図４に示すようなマルチチャンネル同時録画予約画面３２を映像表示部２０に表示させることによって行なわれる。
【００３８】
このマルチチャンネル同時録画予約画面３２は、録画予約設定制御部２３ｃにより作成され、主として、水平軸として曜日領域３２ａを表示し、垂直軸として時間領域３２ｂを表示した、いわゆる、マトリクス形式の表となっている。このうち、曜日領域３２ａは、日，月，火，……，土までの７つの曜日を、図中左から右に向けて配列するように表示している。また、時間領域３２ｂは、午前０時００分から２４時間分の時間を所定の単位時間帯（図４の例では１時間）毎に、図中上から下に向けて配列するように表示している。
【００３９】
そして、このマルチチャンネル同時録画予約画面３２は、曜日領域３２ａに表示された各曜日（７つ）と、時間領域３２ｂに表示された各単位時間帯（２４個）とによって示される位置に、それぞれがセル３２ｃと称される単位領域を表示している。これらのセル３２ｃは、７×２４＝１６８個存在する。また、このマルチチャンネル同時録画予約画面３２は、全選択領域３２ｄを表示している。
【００４０】
ここで、マルチチャンネル同時録画予約画面３２には、その任意のセル（図４では水曜日の午前６時台に対応するセル）３２ｃにカーソル３３が表示されている。このカーソル３３は、ユーザが、リモートコントローラ２５のカーソル上、下、左、右キー２５ｅ〜２５ｈを選択的に操作することにより、他のセル３２ｃに移動させることができる。すなわち、ユーザの操作により所望のセル３２ｃを選択することができる。
【００４１】
そして、図４に示すように、カーソル３３によって所望のセル（水曜日の午前６時台に対応するセル）３２ｃが選択された状態で、ユーザがリモートコントローラ２５の決定キー２５ｉを操作する。つまり、所望のセル３２ｃを選定する。これにより、そのセル３２ｃに対応する曜日及び単位時間帯（水曜日の午前６時台）について、マルチチャンネル同時録画に対する録画予約の設定が行なわれる。
【００４２】
この場合、録画予約の設定された曜日及び単位時間帯に対応するセル３２ｃは、図５に示すように、その旨を示す色（図５ではハッチングで示す）で表示され、他のセル３２ｃと判別可能になる。
【００４３】
これにより、録画予約設定制御部２３ｃでは、録画予約された録画開始日時、つまり、水曜日の午前６時に達すると、上記したチャンネル選択画面３１で登録した各チャンネルを同時に選局させ、そこでの放送番組を同時録画するように制御する。そして、録画予約された録画期間、つまり、水曜日の午前６時から１時間が経過すると、各チャンネルにおける放送番組の同時録画を停止し、ここに、セル３２ｃ単位での録画予約によるマルチチャンネル同時録画が実行されることになる。
【００４４】
なお、上記したセル３２ｃ単位でのマルチチャンネル同時録画に対する録画予約は、１つのセル３２ｃに対応する曜日及び単位時間帯に対してのみ設定されるものではなく、ユーザがリモートコントローラ２５を用いて所望のセル３２ｃを選定するという操作を繰り返すことにより、複数の曜日及び複数の単位時間帯に対して設定することが可能である。
【００４５】
また、図５にハッチングして示したセル３２ｃのように、録画予約が設定されている旨を示す色で表示されているセル３２ｃ、つまり、既に録画予約が設定されている曜日及び単位時間帯に対応するセル３２ｃに対しては、ユーザが、リモートコントローラ２５のカーソル上、下、左、右キー２５ｅ〜２５ｈを選択的に操作してカーソル３３で選択し、決定キー２５ｉを操作することにより、図４に示すように、録画予約の設定を解除（キャンセル）することができる。そして、録画予約の解除された曜日及び単位時間帯に対応するセル３２ｃは、録画予約が設定されていない旨を示す色に戻されて表示される。
【００４６】
図６は、上記したセル３２ｃ単位でのマルチチャンネル同時録画に対する録画予約の設定及び解除を行なうための処理動作をまとめたフローチャートを示している。すなわち、処理が開始（ステップＳ６ａ）され、ステップＳ６ｂで、ユーザにより所望のセル３２ｃが選択決定されると、上記録画予約設定制御部２３ｃは、ステップＳ６ｃで、そのセル３２ｃに対応する曜日及び単位時間帯について既に録画予約が設定されているか否かを判別する。
【００４７】
そして、セル３２ｃに対応する曜日及び単位時間帯について録画予約が設定されていないと判断された場合（ＮＯ）、録画予約設定制御部２３ｃは、ステップＳ６ｄで、そのセル３２ｃに対応する曜日及び単位時間帯に対して録画予約を設定し、処理を終了（ステップＳ６ｆ）する。
【００４８】
また、上記ステップＳ６ｃで、セル３２ｃに対応する曜日及び単位時間帯について録画予約が設定されていると判断された場合（ＹＥＳ）、録画予約設定制御部２３ｃは、ステップＳ６ｅで、そのセル３２ｃに対応する曜日及び単位時間帯に対しての録画予約の設定を解除し、処理を終了（ステップＳ６ｆ）する。
【００４９】
図４乃至図６で説明した録画予約の設定例によれば、曜日と単位時間帯とで指定されるセル３２ｃを選択し決定することにより、そのセル３２ｃに対応する曜日及び単位時間帯に対しての録画予約の設定や解除が行なわれるようにしている。すなわち、ユーザは、１週間分の録画予約設定の状況を表示画面上で把握しながら、録画予約の設定や解除の操作を容易に行なうことができるようになる。これにより、マルチチャンネル同時録画に対する録画予約の設定や解除を、高い自由度をもって容易な操作で実現することができ、ユーザにとっての取り扱いを便利にすることができる。
【００５０】
次に、上記マルチチャンネル同時録画予約画面３２においては、図７に示すように、ユーザが、リモートコントローラ２５のカーソル上、下、左、右キー２５ｅ〜２５ｈを選択的に操作することにより、カーソル３３を、曜日領域３２ａに表示されている７つの曜日のうちの所望の曜日（図７では火曜日）に移動させることができる。つまり、ユーザの操作により所望の曜日を選択することができる。
【００５１】
この場合、カーソル３３によって選択された曜日（火曜日）に対応する全てのセル３２ｃ、つまり、２４時間分の単位時間帯を示す２４個のセル３２ｃが選択枠３４によって選択される。この状態で、ユーザがリモートコントローラ２５の決定キー２５ｉを操作すると、選択枠３４によって選択された各セル３２ｃに対応する曜日（火曜日）及び単位時間帯（午前０時〜２４時間）について、マルチチャンネル同時録画に対する録画予約の設定が行なわれる。
【００５２】
この場合も、録画予約の設定された曜日及び単位時間帯に対応する各セル３２ｃは、図８に示すように、その旨を示す色（図８ではハッチングで示す）で表示され、他のセル３２ｃと判別可能になる。
【００５３】
すなわち、ユーザがリモートコントローラ２５を用いて所望の曜日を選定することにより、その曜日に対する全ての単位時間帯（午前０時から２４時間）について、マルチチャンネル同時録画に対する録画予約を設定することができる。
【００５４】
なお、上記した曜日単位でのマルチチャンネル同時録画に対する録画予約は、１つの曜日に対してのみ設定可能なものではなく、ユーザがリモートコントローラ２５を用いて所望の曜日を選定するという操作を繰り返すことにより、複数の曜日に対して設定することが可能である。
【００５５】
また、カーソル３３によって選択された曜日について、録画予約が既に設定されている単位時間帯（録画予約が設定されている旨を示す色で表示されているセル３２ｃ）と、録画予約が設定されていない単位時間帯（録画予約が設定されていない旨を示す色で表示されているセル３２ｃ）とが混在していた場合には、リモートコントローラ２５の決定キー２５ｉが操作されると、全ての単位時間帯について録画予約が設定されることになる。つまり、その曜日の全ての単位時間帯に対応する２４個のセル３２ｃが、録画予約の設定されている旨を示す色で表示されることになる。
【００５６】
さらに、図８にハッチングで示したように、全ての単位時間帯に対応するセル３２ｃが録画予約の設定されている旨を示す色で表示されている曜日、つまり、全ての単位時間帯について既に録画予約が設定されている曜日に対しては、ユーザが、リモートコントローラ２５を用いてその曜日をカーソル３３で選択し、決定キー２５ｉを操作する。
【００５７】
これにより、図７に示すように、その曜日の全ての単位時間帯に対する録画予約の設定を解除（キャンセル）することができる。そして、その曜日における録画予約の解除された全ての単位時間帯に対応するセル３２ｃは、録画予約が設定されていない旨を示す色に戻されて表示される。
【００５８】
図９は、上記した曜日単位でのマルチチャンネル同時録画に対する録画予約の設定及び解除を行なうための処理動作をまとめたフローチャートを示している。すなわち、処理が開始（ステップＳ９ａ）され、ステップＳ９ｂで、ユーザにより所望の曜日が選択決定されると、上記録画予約設定制御部２３ｃは、ステップＳ９ｃで、その曜日に対応する全ての単位時間帯が既に録画予約設定されているか否かを判別する。
【００５９】
そして、曜日に対応する全ての単位時間帯について録画予約が設定されていないと判断された場合（ＮＯ）、録画予約設定制御部２３ｃは、ステップＳ９ｄで、その曜日に対応する全ての単位時間帯に対して録画予約を設定し、処理を終了（ステップＳ９ｆ）する。また、上記ステップＳ９ｃで、曜日に対応する全ての単位時間帯について録画予約が設定されていると判断された場合（ＹＥＳ）、録画予約設定制御部２３ｃは、ステップＳ９ｅで、その曜日に対応する全ての単位時間帯に対しての録画予約設定を解除し、処理を終了（ステップＳ９ｆ）する。
【００６０】
図７乃至図９で説明した録画予約の設定例によれば、所望の曜日を選定することにより、その曜日に対応する全ての単位時間帯に対しての録画予約の設定や解除が行なわれるようにしているので、録画予約の設定や解除の操作を容易に行なうことができるようになる。このため、マルチチャンネル同時録画に対する録画予約の設定や解除を、高い自由度をもって容易な操作で実現することができ、ユーザにとっての取り扱いを便利にすることができる。
【００６１】
次に、上記マルチチャンネル同時録画予約画面３２においては、図１０に示すように、ユーザが、リモートコントローラ２５のカーソル上、下、左、右キー２５ｅ〜２５ｈを選択的に操作することにより、カーソル３３を、時間領域３２ｂに表示されている２４個の単位時間帯のうちの所望の単位時間帯（図１０では午後３時から１時間）に移動させることができる。つまり、ユーザの操作により所望の単位時間帯を選択することができる。
【００６２】
この場合、カーソル３３によって選択された単位時間帯（午後３時から１時間）に対応する全てのセル３２ｃ、つまり、各曜日に対応する７つのセル３２ｃが選択枠３４によって選択される。この状態で、ユーザがリモートコントローラ２５の決定キー２５ｉを操作すると、選択枠３４によって選択された各セル３２ｃに対応する曜日（全曜日）及び単位時間帯（午後３時から１時間）について、マルチチャンネル同時録画に対する録画予約の設定が行なわれる。
【００６３】
この場合も、録画予約の設定された曜日及び単位時間帯に対応する各セル３２ｃは、図１１に示すように、その旨を示す色（図１１ではハッチングで示す）で表示され、他のセル３２ｃと判別可能になる。
【００６４】
すなわち、ユーザがリモートコントローラ２５を用いて時間領域３２ｂに表示されている２４個の単位時間帯から所望の単位時間帯を選定することにより、その単位時間帯に対する全ての曜日について、マルチチャンネル同時録画に対する録画予約を設定することができる。
【００６５】
なお、上記した単位時間帯単位でのマルチチャンネル同時録画に対する録画予約は、１つの単位時間帯に対してのみ設定可能なものではなく、ユーザがリモートコントローラ２５を用いて時間領域３２ｂに表示されている２４個の単位時間帯から所望の単位時間帯を選定するという操作を繰り返すことにより、複数の単位時間帯に対して設定することが可能である。
【００６６】
また、カーソル３３によって選択された単位時間帯について、録画予約が既に設定されている曜日（録画予約が設定されている旨を示す色で表示されているセル３２ｃ）と、録画予約が設定されていない曜日（録画予約が設定されていない旨を示す色で表示されているセル３２ｃ）とが混在していた場合には、リモートコントローラ２５の決定キー２５ｉが操作されると、全ての曜日について録画予約が設定されることになる。つまり、その単位時間帯の全ての曜日に対応する７つのセル３２ｃが、録画予約の設定されている旨を示す色で表示されることになる。
【００６７】
さらに、図１１にハッチングで示したように、全ての曜日に対応するセル３２ｃが録画予約の設定されている旨を示す色で表示されている単位時間帯、つまり、全ての曜日について既に録画予約が設定されている単位時間帯に対しては、ユーザが、リモートコントローラ２５を用いて時間領域３２ｂに表示されている２４個の単位時間帯からその単位時間帯をカーソル３３で選択し、決定キー２５ｉを操作する。
【００６８】
これにより、図１０に示すように、その単位時間帯の全ての曜日に対する録画予約の設定を解除（キャンセル）することができる。そして、その単位時間帯における録画予約の解除された全ての曜日に対応するセル３２ｃは、録画予約が設定されていない旨を示す色に戻されて表示される。
【００６９】
図１２は、上記した単位時間帯単位でのマルチチャンネル同時録画に対する録画予約の設定及び解除を行なうための処理動作をまとめたフローチャートを示している。まず、処理が開始（ステップＳ１２ａ）され、ステップＳ１２ｂで、ユーザにより所望の単位時間帯が選定されると、上記録画予約設定制御部２３ｃは、ステップＳ１２ｃで、その単位時間帯に対応する全ての曜日が既に録画予約設定されているか否かを判別する。
【００７０】
そして、単位時間帯に対応する全ての曜日について録画予約が設定されていないと判断された場合（ＮＯ）、録画予約設定制御部２３ｃは、ステップＳ１２ｄで、その単位時間帯に対応する全ての曜日に対して録画予約を設定し、処理を終了（ステップＳ１２ｆ）する。また、上記ステップＳ１２ｃで、単位時間帯に対応する全ての曜日について録画予約が設定されていると判断された場合（ＹＥＳ）、録画予約設定制御部２３ｃは、ステップＳ１２ｅで、その単位時間帯に対応する全ての曜日に対しての録画予約設定を解除し、処理を終了（ステップＳ１２ｆ）する。
【００７１】
図１０乃至図１２で説明した録画予約の設定例によれば、所望の単位時間帯を選定することにより、その単位時間帯に対応する全ての曜日に対しての録画予約の設定や解除が行なわれるようにしているので、録画予約の設定や解除の操作を容易に行なうことができるようになる。このため、マルチチャンネル同時録画に対する録画予約の設定や解除を、高い自由度をもって容易な操作で実現することができ、ユーザにとっての取り扱いを便利にすることができる。
【００７２】
次に、上記マルチチャンネル同時録画予約画面３２においては、図１３に示すように、ユーザが、リモートコントローラ２５のカーソル上、下、左、右キー２５ｅ〜２５ｈを選択的に操作することにより、カーソル３３を、上記した全選択領域３２ｄに移動させることができる。つまり、ユーザの操作により全選択領域３２ｄを選択することができる。
【００７３】
この場合、７つの曜日と２４時間分の単位時間帯とで示される全てのセル３２ｃが選択枠３４によって選択される。この状態で、ユーザがリモートコントローラ２５の決定キー２５ｉを操作すると、選択枠３４によって選択された全てのセル３２ｃに対応する曜日（全曜日）及び単位時間帯（午前０時から２４時間）について、マルチチャンネル同時録画に対する録画予約の設定が行なわれる。
【００７４】
この場合も、録画予約の設定された曜日及び単位時間帯に対応する各セル３２ｃは、図１４に示すように、その旨を示す色（図１４ではハッチングで示す）で表示される。すなわち、ユーザがリモートコントローラ２５を用いて全選択領域３２ｄを選択し決定することにより、全ての曜日及び全ての単位時間帯について、マルチチャンネル同時録画に対する録画予約を設定することができる。
【００７５】
また、全選択領域３２ｄが選択カーソル３３によって選択された時点で、録画予約が既に設定されている曜日及び単位時間帯（録画予約が設定されている旨を示す色で表示されているセル３２ｃ）と、録画予約が設定されていない曜日及び単位時間帯（録画予約が設定されていない旨を示す色で表示されているセル３２ｃ）とが混在していた場合には、リモートコントローラ２５の決定キー２５ｉが操作されると、全ての曜日及び全ての単位時間帯について録画予約が設定されることになる。つまり、全ての曜日及び全ての単位時間帯に対応するセル３２ｃが、録画予約の設定されている旨を示す色で表示されることになる。
【００７６】
さらに、図１４にハッチングで示したように、全ての曜日及び全ての単位時間帯に対応するセル３２ｃが録画予約の設定されている旨を示す色で表示されている状態、つまり、全ての曜日及び全ての単位時間帯について既に録画予約が設定されている状態では、ユーザが、リモートコントローラ２５を用いて全選択領域３２ｄをカーソル３３で選択し、決定キー２５ｉを操作すると、図１３に示すように、全ての曜日及び全ての単位時間帯に対する録画予約の設定を解除（キャンセル）することができる。そして、録画予約の解除された全ての曜日及び全ての単位時間帯に対応するセル３２ｃは、録画予約が設定されていない旨を示す色に戻されて表示される。
【００７７】
図１５は、上記した全選択領域３２ｄを用いたマルチチャンネル同時録画に対する録画予約の設定及び解除を行なうための処理動作をまとめたフローチャートを示している。すなわち、処理が開始（ステップＳ１５ａ）され、ステップＳ１５ｂで、ユーザにより全選択領域３２ｄが選択決定されると、上記録画予約設定制御部２３ｃは、ステップＳ１５ｃで、全ての曜日及び全ての単位時間帯が既に録画予約設定されているか否かを判別する。
【００７８】
そして、全ての曜日及び全ての単位時間帯について録画予約が設定されていないと判断された場合（ＮＯ）、録画予約設定制御部２３ｃは、ステップＳ１５ｄで、全ての曜日及び全ての単位時間帯に対して録画予約を設定し、処理を終了（ステップＳ１５ｆ）する。また、上記ステップＳ１５ｃで、全ての曜日及び全ての単位時間帯について録画予約が設定されていると判断された場合（ＹＥＳ）、録画予約設定制御部２３ｃは、ステップＳ１５ｅで、全ての曜日及び全ての単位時間帯に対しての録画予約設定を解除し、処理を終了（ステップＳ１５ｆ）する。
【００７９】
図１３乃至図１５で説明した録画予約の設定例によれば、全選択領域３２ｄを選定することにより、全ての曜日及び全ての単位時間帯に対しての録画予約の設定や解除が行なわれるようにしているので、録画予約の設定や解除の操作を容易に行なうことができるようになる。このため、マルチチャンネル同時録画に対する録画予約の設定や解除を、高い自由度をもって容易な操作で実現することができ、ユーザにとっての取り扱いを便利にすることができる。
【００８０】
次に、上記マルチチャンネル同時録画予約画面３２においては、ユーザがリモートコントローラ２５により所望の曜日を選択して青色のカラーキー２５ｍを操作した後、他の曜日を選択して青色のカラーキー２５ｍを操作することにより、先に選択した所望の曜日に対応する単位時間帯（午前０時から２４時間）について設定されている録画予約の設定パターンを、他の曜日にコピーすることができる。
【００８１】
すなわち、図１６に示すように、ユーザがリモートコントローラ２５を用いてカーソル３３を所望の曜日（図１６では月曜日）に移動させると、先に述べたように、カーソル３３によって選択された曜日（月曜日）に対応する全てのセル３２ｃ、つまり、２４時間分の単位時間帯を示す２４個のセル３２ｃが選択枠３４によって選択される。
【００８２】
そして、このとき、図１６にハッチングで示すように、月曜日に対応する２４個のセル３２ｃのうち、午前３時から１時間分に対応するセル３２ｃと、午前９時から２時間分に対応する２つのセル３２ｃと、午後６時から１時間分に対応するセル３２ｃとの、合計４つのセル３２ｃが録画予約の設定されている旨の色で表示されているとする。つまり、月曜日については、上記した４つのセル３２ｃに対応する単位時間帯について録画予約が設定されているという、録画予約の設定パターンを有しているものとする。
【００８３】
このような状態で、ユーザがリモートコントローラ２５の青色のカラーキー２５ｍを操作すると、上記録画予約設定制御部２３ｃは、月曜日の録画予約の設定パターンを記憶する。
【００８４】
その後、ユーザがリモートコントローラ２５を用いてカーソル３３を他の曜日（例えば金曜日）に移動させると、先に述べたように、カーソル３３によって選択された曜日（金曜日）に対応する全てのセル３２ｃ、つまり、２４時間分の単位時間帯を示す２４個のセル３２ｃが選択枠３４によって選択される。
【００８５】
この状態で、ユーザがリモートコントローラ２５の青色のカラーキー２５ｍを操作すると、図１７にハッチングで示すように、金曜日に対応する２４個のセル３２ｃのうち、午前３時から１時間分に対応するセル３２ｃと、午前９時から２時間分に対応する２つのセル３２ｃと、午後６時から１時間分に対応するセル３２ｃとの、合計４つのセル３２ｃが録画予約の設定されている旨の色で表示される。つまり、月曜日に対する録画予約の設定パターンが、金曜日に対応する全てのセル３２ｃに貼り付けられコピーされる。
【００８６】
この場合、コピー前に、金曜日に対応する各単位時間帯に既に設定されていた録画予約は、月曜日に対する録画予約の設定パターンが上書きされることにより書き替えられることになる。
【００８７】
図１６及び図１７で説明した録画予約の設定例によれば、所望の曜日に対する録画予約の設定パターンを他の曜日にコピーすることができるようにしているので、録画予約の設定操作を容易に行なうことができるようになる。このため、マルチチャンネル同時録画に対する録画予約の設定や解除を、高い自由度をもって容易な操作で実現することができ、ユーザにとっての取り扱いを便利にすることができる。
【００８８】
次に、上記マルチチャンネル同時録画予約画面３２においては、ユーザがリモートコントローラ２５により時間領域３２ｂの中から所望の単位時間帯を選択して青色のカラーキー２５ｍを操作した後、他の単位時間帯を選択して青色のカラーキー２５ｍを操作することにより、先に選択した単位時間帯に対応する曜日について設定されている録画予約の設定パターンを、他の単位時間帯にコピーすることができる。
【００８９】
すなわち、図１８に示すように、ユーザがリモートコントローラ２５を用いてカーソル３３を時間領域３２ｂの中の所望の単位時間帯（図１８では午前６時から１時間）に移動させると、先に述べたように、カーソル３３によって選択された単位時間帯に対応する全てのセル３２ｃ、つまり、７つの曜日分のセル３２ｃが選択枠３４によって選択される。
【００９０】
そして、このとき、図１８にハッチングで示すように、所望の単位時間帯（午前６時から１時間）に対応する７つのセル３２ｃのうち、月曜日に対応するセル３２ｃと、水曜日に対応する２つのセル３２ｃと、金曜日に対応するセル３２ｃとの、合計３つのセル３２ｃが録画予約の設定されている旨の色で表示されているとする。つまり、午前６時から１時間の単位時間帯については、上記した３つのセル３２ｃに対応する曜日について録画予約が設定されているという、録画予約の設定パターンを有しているものとする。
【００９１】
このような状態で、ユーザがリモートコントローラ２５の青色のカラーキー２５ｍを操作すると、上記録画予約設定制御部２３ｃは、午前６時から１時間の単位時間帯の録画予約の設定パターンを記憶する。
【００９２】
その後、ユーザがリモートコントローラ２５を用いてカーソル３３を他の単位時間帯（例えば午後３時から１時間）に移動させると、先に述べたように、カーソル３３によって選択された単位時間帯（午後３時から１時間）に対応する全てのセル３２ｃ、つまり、７つの曜日分のセル３２ｃが選択枠３４によって選択される。
【００９３】
この状態で、ユーザがリモートコントローラ２５の青色のカラーキー２５ｍを操作すると、図１９にハッチングで示すように、所望の単位時間帯（午前６時から１時間）に対応する７つのセル３２ｃのうち、月曜日に対応するセル３２ｃと、水曜日に対応する２つのセル３２ｃと、金曜日に対応するセル３２ｃとの、合計３つのセル３２ｃが録画予約の設定されている旨の色で表示される。つまり、午前６時から１時間の単位時間帯に対する録画予約の設定パターンが、午後３時から１時間の単位時間帯に対応する全てのセル３２ｃに貼り付けられコピーされる。
【００９４】
この場合、コピー前に、午後３時から１時間の単位時間帯に対して既に設定されていた録画予約は、午前６時から１時間の単位時間帯に対する録画予約の設定パターンが上書きされることにより書き替えられることになる。
【００９５】
図１８及び図１９で説明した録画予約の設定例によれば、所望の単位時間帯に対する録画予約の設定パターンを他の単位時間帯にコピーすることができるようにしているので、録画予約の設定操作を容易に行なうことができるようになる。このため、マルチチャンネル同時録画に対する録画予約の設定や解除を、高い自由度をもって容易な操作で実現することができ、ユーザにとっての取り扱いを便利にすることができる。
【００９６】
ここで、上記した実施の形態では、デジタルテレビジョン放送受信装置１１を例にしてについて説明したが、これに限るものではなく、例えばＳＴＢ（set top box）やデジタルテレビジョン放送受信機能を備えた光ディスク記録再生装置等に幅広く利用することができる。
【００９７】
また、上記した実施の形態では、デジタルテレビジョン放送における複数のチャンネルでの放送番組を同時に受信して録画することについて説明したが、これに限らず、例えばネットワークを介して配信される複数のチャンネルでの番組を同時に受信して録画する場合にも利用することができる。
【００９８】
さらに、上記した実施の形態では、画面に表示されるカーソル３３や選択枠３４等を全て枠状のものとして表現したが、これに限るものではなく、例えば他の部分と色を変えて表示する等、種々の表現手法を採用することができることはもちろんである。
【００９９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【０１００】
１１…デジタルテレビジョン放送受信装置、１２…アンテナ、１３…入力端子、１４…チューナ処理部、１４１〜１４ｎ…チューナ部、１５…復調復号処理部、１５１〜１５ｎ…復調復号部、１６…デマルチプレクサ、１７…グラフィック処理部、１８…ＯＳＤ信号発生部、１９…映像処理部、２０…映像表示部、２１…音声処理部、２２…スピーカ、２３…制御部、２３ａ…ＣＰＵ、２３ｂ…メモリ部、２３ｃ…録画予約設定制御部、２４…操作部、２５…リモートコントローラ、２６…受信部、２７…ＨＤＤ、２７ａ…ハードディスク、２８…ネットワークインターフェース、２９…ネットワーク、３０…ネットワークサーバ、３１…チャンネル選択画面、３１ａ…選択チャンネル表示領域、３１ｂ…登録チャンネル表示領域、３２…マルチチャンネル同時録画予約画面、３２ａ…曜日領域、３２ｂ…時間領域、３２ｃ…セル、３２ｄ…全選択領域、３３…カーソル、３４…選択枠。
【図１】
0005355745.tif 000002
【図２】
0005355745.tif 000003
【図３】
0005355745.tif 000004
【図４】
0005355745.tif 000005
【図５】
0005355745.tif 000006
【図６】
0005355745.tif 000007
【図７】
0005355745.tif 000008
【図８】
0005355745.tif 000009
【図９】
0005355745.tif 000010
【図１０】
0005355745.tif 000011
【図１１】
0005355745.tif 000012
【図１２】
0005355745.tif 000013
【図１３】
0005355745.tif 000014
【図１４】
0005355745.tif 000015
【図１５】
0005355745.tif 000016
【図１６】
0005355745.tif 000017
【図１７】
0005355745.tif 000018
【図１８】
0005355745.tif 000019
【図１９】
0005355745.tif 000020